(57)【要約】【課題】  カード２の装着位置を任意の位置に設定でき、かつ、その設定位置で固定できるようにする。【解決手段】ステー部６と、ステー部６と係合して、ステー部６の長手方向に案内されるガイドレール４と、ステー部６の長手方向に沿って形成された固定溝７ｂと、ガイドレール４を挿通して固定溝７ｂと係合することによりガイドレール４をステー部６に固定する係合体７ａとを備えた固定部７とを有する。【選択図】      図１
2010258010.tif 000002
【特許請求の範囲】
【請求項１】
ステー部と、
前記ステー部と係合して、前記ステー部の長手方向に案内されるガイドレールと、
前記ステー部の長手方向に沿って形成された固定溝と、前記ガイドレールを挿通して前記固定溝と係合することにより前記ガイドレールを前記ステー部に固定する係合体とを備えた固定部とを有することを特徴とするカードシェルフ。
【請求項２】
請求項１に記載のカードシェルフであって、
前記係合体は、前記固定溝の溝側面と係合するタッピングねじであることを特徴とするカードシェルフ。
【請求項３】
請求項１又は２に記載のカードシェルフであって、
前記ステー部が、凹凸を具備する案内溝を備え、
前記ガイドレールが、前記案内溝と嵌る脚部と、前記脚部に収納されたバネとを備えて、
前記ガイドレールを前記ステー部に対してスライドさせた際に、前記バネが前記凹凸に嵌ることにより、前記ステー部に対する前記ガイドレールの位置が規定されることを特徴とするカードシェルフ。
【請求項４】
請求項１又は２に記載のカードシェルフであって、
前記ステー部が、案内溝を備えた案内板と、
前記案内板が装着されるステー本体と、を備え、前記ガイドレールと前記固定溝とは前記ステー本体に設けられることを特徴とするカードシェルフ。
【請求項５】
請求項４に記載のカードシェルフであって、
前記案内溝が、凹凸を備え、
前記ガイドレールが、前記案内溝と嵌る脚部と、前記脚部に収納されたバネとを備えて、
前記ガイドレールを前記ステー部に対してスライドさせた際に、前記バネが前記凹凸に嵌ることにより、前記ステー部に対する前記ガイドレールの位置が規定されることを特徴とするカードシェルフ。
【請求項６】
電子部品が搭載されたカードと、
ステー部と、前記カードが挿入されるカード溝を具備すると共に、前記ステー部と係合して、前記ステー部の長手方向に案内されるガイドレールと、前記ステー部の長手方向に沿って形成された固定溝と、前記ガイドレールを挿通して前記固定溝と係合することにより前記ガイドレールを前記ステー部に固定する係合体とを具備した固定部とを有するカードシェルフと、を備えることを特徴とする電子装置。
【請求項７】
請求項６に記載の電子装置であって、
前記係合体は、前記固定溝の溝側面と係合するタッピングねじであることを特徴とする電子装置。
【請求項８】
請求項６又は７に記載の電子装置であって、
前記ステー部が、凹凸を具備する案内溝を備え、
前記ガイドレールが、前記案内溝と嵌る脚部と、前記脚部に収納されたバネとを備えて、
前記ガイドレールを前記ステー部に対してスライドさせた際に、前記バネが前記凹凸に嵌ることにより、前記ステー部に対する前記ガイドレールの位置が規定されることを特徴とする電子装置。
【請求項９】
請求項６又は７に記載の電子装置であって、
前記ステー部が、案内溝を備えた案内板と、
前記案内板が装着されるステー本体と、を備えることを特徴とする電子装置。
【請求項１０】
請求項９に記載の電子装置であって、
前記案内溝が、凹凸を備え、
前記ガイドレールが、前記案内溝と嵌る脚部と、前記脚部に収納されたバネとを備えて、
前記ガイドレールを前記ステー部に対してスライドさせた際に、前記バネが前記凹凸に嵌ることにより、前記ステー部に対する前記ガイドレールの位置が規定されることを特徴とする電子装置。
【発明の詳細な説明】
【技術分野】
【０００１】
本発明は、カードシェルフ及びそれを備えた電子機器に関する。
【背景技術】
【０００２】
電子部品を搭載したカードをカードシェルフに複数平行に並べて装着できるようにした電子機器が知られている。このカードは、電子機器の用途や目的の変更・拡大等に伴い増減されることがある。このとき、用途や目的に応じて厚みの異なるカードが用いられる。
【０００３】
このようなカードを収納するために、特開平９−３２１４６４号公報は、ステーに形成されたスライド溝に嵌る係合突起部を備えると共に、カードが装着される溝を備えたガイドレール部材を提案している。そして、係合突起部がステーのスライド溝に嵌ることにより、ガイドレール部材はステーに対してスライドできるようになっている。これにより、ステーに対するガイドレール部材の位置は、カードの厚み等に応じて設定できる。
【先行技術文献】
【特許文献】
【０００４】
【特許文献１】特開平９−３２１４６４号公報
【発明の概要】
【発明が解決しようとする課題】
【０００５】
しかしながら、特許文献１にかかるガイドレール部材はステーに固定されていないため、外部からの振動等がガイドレールに加わると、ガイドレール部材が位置ずれを起こす問題がある。なお、ガイドレール部材の位置ずれは、隣接するカード同士が接触する原因となったり、カードと電子機器本体とを電気的に接続しているコネクタ部分における電気的接続状態の不良原因となる。
【０００６】
そこで、本発明の主目的は、ガイドレールを任意の位置に設定でき、かつ、その設定位置で固定できるようにしたカードシェルフ及びそれを備えた電子機器を提供することである。
【課題を解決するための手段】
【０００７】
上記課題を解決するため、カードシェルフは、ステー部と、ステー部と係合して、ステー部の長手方向に案内されるガイドレールと、ステー部の長手方向に沿って形成された固定溝と、ガイドレールを挿通して固定溝と係合することによりガイドレールをステー部に固定する係合体とを備えた固定部とを有することを特徴とする。
【０００８】
また、電子装置は、電子部品が搭載されたカードと、ステー部と、カードが装着されるカード溝を具備すると共に、ステー部と係合して、ステー部の長手方向に案内されるガイドレールと、ステー部の長手方向に沿って形成された固定溝と、ガイドレールを挿通して固定溝と係合することによりガイドレールをステー部に固定する係合体とを具備した固定部とを有するカードシェルフと、を備えることを特徴とする。
【発明の効果】
【０００９】
本発明によれば、ガイドレールを任意の位置に設定でき、かつ、その設定位置で固定できるようになる。
【図面の簡単な説明】
【００１０】
【図１】本発明の第１の実施形態にかかるカードシェルフの斜視図である。
【図２】本発明の第２の実施形態にかかる電子機器の斜視図である。
【図３】第２の実施形態にかかる側板の斜視図である
【図４】第２の実施形態にかかるステーの斜視図で、（ａ）は第１のステーの斜視図、（ｂ）は第２のステーの斜視図である。
【図５】第２の実施形態にかかるガイドレールの構成を説明する図で、（ａ）はガイドレールを上方向から見た斜視図、（ｂ）はガイドレールを下方向からみた斜視図、（ｃ）は（ａ）におけるＡ−Ａ線に沿った矢視断面図、（ｄ）は（ｂ）におけるＢ−Ｂ線に沿った矢視断面図である。
【図６】第２の実施形態にかかるカードシェルフにガイドレールを装着して組み立てる場合の部分斜視図である。
【図７】第２の実施形態にかかる第１のステー及び第２のステーの案内溝にガイドレールの脚部が嵌った状態を説明する図で、（ａ）はガイドレール側から見た上面図、（ｂ）は（ａ）におけるＣ−Ｃ線に沿った断面図である。
【図８】本発明の第３の実施形態にかかる案内溝を備える案内板をステーに装着して組み立てる場合の斜視図である。
【発明を実施するための形態】
【００１１】
本発明の第１の実施形態を図を参照して説明する。図１は第１の実施形態にかかるカードシェルフ１の部分斜視図である。このカードシェルフ１は、ステー部６と、このステー部６と係合して、ステー部６の長手方向に案内されるガイドレール４と、固定部７とを有する。固定部７は、ステー部６の長手方向に沿って形成された固定溝７ｂと、ガイドレール４を挿通して固定溝７ｂと係合することによりガイドレール４をステー部６に固定する係合体７ａとを備える。
【００１２】
このような構成により、ガイドレール４はステー部６によって案内される。そして、ガイドレール４は所望する位置で固定部７によりステー部６に固定される。ガイドレール４の固定は、係合体７ａをガイドレール４を挿通して固定溝７ｂに係合させることにより行う。係合体７ａが係合する相手は、ねじ穴のように係合位置が規定されていない溝構造の固定溝７ｂである。従って、係合体７ａは、固定溝７ｂのどの位置においても係合できるため、カードレール４を任意の位置に設定できると共に、その位置でカードレール４を固定することができるようになる。
【００１３】
次に、本発明の第２の実施形態を説明する。図２は、第２の実施形態にかかるカードシェルフ１０を備える電子機器９の斜視図である。カードシェルフ１０は、左右に配置される２つの側板２０、第１のステー（ステー部）３０ａ、第２のステー（ステー部）３０ｂ、複数のガイドレール４０及び、固定部３３を備えている。なお、固定部３３は、後述するように、固定溝３４、係合体３６及びねじ孔４６を含んでいる。
【００１４】
そして、左右の側板２０の上下左右の４コーナ近傍に、２つの第１のステー３０ａ及び２つの第２のステー３０ｂが、ねじやリベット等により固定されている。なお、以下において説明の都合から、図２に示すカードシェルフ１０のフランジ２４が設けられている方向を前側、その反対方向を後側、上方向を上側、下方向を下側、右方向を右側、左方向を左側と記載する。従って、第１のステー３０ａは、カードシェルフ１０の前側の上下に取り付けられて互いに向かい合っており、第２のステー３０ｂはカードシェルフ１０の後側の上下に取り付けられて互いに向かい合っている。ガイドレール４０は、第１のステー３０ａと第２のステー３０ｂとに掛け渡され、このガイドレール４０に電子部品を搭載したカード１２が装着される。
【００１５】
図３は、このようなカードシェルフ１０における側板２０の斜視図である。側板２０は、挿入孔２２と、フランジ２４とを備えた概略板状の部材である。挿入孔２２は、側板２０の上下辺の近傍に、この辺と平行に設けられて、ガイドレール４０の第１のステー３０ａ及び第２のステー３０ｂへの取り付け時に、ガイドレール４０（図２参照）が挿入される開口である。この挿入孔２２は、ガイドレール４０の本体部が通る本体挿入部２２ａと、ガイドレール４０の脚部が通る脚挿入部２２ｂとを備える。本体挿入部２２ａ及び脚挿入部２２ｂについては、後述する。フランジ２４は、側板２０の前側の辺近傍を折り曲げて形成されて、カードシェルフ１０を電子装置９の筐体フレーム８に固定する際に用いられる（図２参照）。
【００１６】
図４（ａ）は第１のステー３０ａの斜視図であり、図４（ｂ）は第２のステー３０ｂの斜視図である。第１のステー３０ａ及び第２のステー３０ｂは、案内溝３２及び固定溝（固定部）３４を備える。案内溝３２は、後述するガイドレール４０の脚部が挿入できるように、第１のステー３０ａ及び第２のステー３０ｂにおける長手方向に平行に、その方向の端部にわたって形成されている。この案内溝３２は、溝部３２ａと、溝係止部３２ｂと、凹凸部３２ｃとを備える。
【００１７】
溝係止部３２ｂと凹凸部３２ｃとは、案内溝３２の長さ方向にわたって溝部３２ａの上部に、互いに向かい合って突出した突状体である。しかし、溝係止部３２ｂの端部形状は直線的であるのに対して、凹凸部３２ｃの端部形状は凹凸に形成されている。この凹凸の形状は、波形又は矩形等であり、所定の周期で連続している。固定溝３４、凹凸部３２ｃ及び溝係止部３２ｂは、第１のステー３０ａにおいては、前側から固定溝３４、凹凸部３２ｃ、溝係止部３２ｂの順で設けられ（図４（ａ）参照）、第２のステー３０ｂにおいては、前側から凹凸部３２ｃ、溝係止部３２ｂ、固定溝３４の順で設けられている（図４（ｂ）参照）。
【００１８】
固定溝（固定部）３４は、係合体（固定部）３６（図２参照）がねじ込まれる一定幅の溝である。なお、係合体３６としては、タッピングねじが例示できる。以下の説明では、係合体３６をタッピングねじ３６と記載して説明する。このタッピングねじ３６は、螺合しながら螺合相手に溝を形成する。このため、タッピングねじ３６が係合する固定溝３４の側面は、平面（溝が形成されていない面）である。
【００１９】
図５（ａ）はガイドレール４０を上方向から見た斜視図、図５（ｂ）はガイドレール４０を下方向から見た分解斜視図、図５（ｃ）は図５（ａ）におけるＡ−Ａ線に沿った矢視拡大断面図、図５（ｄ）は図５（ｂ）におけるＢ−Ｂ線に沿った矢視拡大断面図である。ガイドレール４０は、長板状の溝底板４２と、２つの溝側板４４と、２つのねじ孔（固定部）４６と、２つの脚部４８と、を備える。溝側板４４は、溝底板４２の短手方向の両方の端部に立設されて、これら溝側板４４で形成される空間がカード溝４４ａとなっている。このカード溝４４ａには、カード１２が装着される（図２参照）。ねじ孔４６は、溝底板４２の長手方向の両端の近傍に形成されて、タッピングねじ３６が挿通する（図２参照）。
【００２０】
脚部４８は、溝底板４２の下面における長手方向の両端部近傍に設けられ、第１のステー３０ａ及び第２のステー３０ｂに嵌る（例えば、図６を参照）。この脚部４８は、図５（ｂ）に示すように、バネ４８ａと、このバネ４８ａが収納されるバネ収納穴４８ｂと、バネ収納穴４８ｂの入口側の端部に設けられた脚係止部４８ｃと、バネ収納穴４８ｂの１つの側壁４８ｄに形成されたバネ頂部孔４８ｅとを備える。
【００２１】
バネ４８ａは、Ｕ状に曲げられた板バネで、頂部４８ａａは他の部分（以下、バネ本体部４８ａｂという）より背が低くなっている。図５（ｃ）において、バネ４８ａの頂部４８ａａの背の高さをＤ２、バネ本体部４８ａｂの背の高さをＤ３で示している。バネ頂部孔４８ｅの深さ寸法Ｄ１は、バネ４８ａの頂部４８ａａの背の高さＤ２より大きく、バネ本体部４８ａｂの背の高さＤ３より小さい値に設定されている（Ｄ２≦Ｄ１≦Ｄ３）。従って、バネ４８ａをバネ収納穴４８ｂに収納すると、バネ４８ａの頂部４８ａａのみがバネ頂部孔４８ｅから飛び出すようになる。
【００２２】
次に、このようなカードシェルフ１０の詳細構成を組み立て手順と共に説明する。先ず、２つの側板２０のコーナ付近に第１のステー３０ａ及び第２のステー３０ｂをリベット等で固定する（図２参照）。第１のステー３０ａは、側板２０の前側の上下のコーナ付近に取り付けられ、第２のステー３０ｂは側板２０の後側の上下のコーナ付近に取り付けられる。
【００２３】
図６は、ガイドレール４０を装着する際のカードシェルフ１０の部分斜視図である。なお、図６において上側の第１のステー３０ａ及び第２のステー３０ｂは図示省略している。図６に示すように、挿入孔２２（図３参照）における脚挿入部２２ｂの位置と第１のステー３０ａ及び第２のステー３０ｂにおける案内溝３２の位置とを合わせした状態で、第１のステー３０ａ及び第２のステー３０ｂを側板２０に取り付ける。ガイドレール４０は、図６に示す太線矢印の方向（カードシェルフ１０の外側から内側方向）から挿入孔２２に挿入する。このとき、脚挿入部２２ｂの位置と案内溝３２の位置とが位置合わせされているので、ガイドレール４０を挿入孔２２から挿入するだけで、容易に脚部４８は案内溝３２に嵌る。
【００２４】
図７は、第１のステー３０ａ及び第２のステー３０ｂの案内溝３２にガイドレール４０の脚部４８が嵌った状態を示す図で、図７（ａ）はガイドレール４０側から見た上面図、図７（ｂ）は図７（ａ）におけるＣ−Ｃ線に沿った矢視断面図である。このように、ガイドレール４０を挿入孔２２から挿入すると、ガイドレール４０の脚部４８は、第１のステー３０ａ及び第２のステー３０ｂの案内溝３２に嵌る。脚部４８が案内溝３２に嵌った状態では、図７（ｂ）に示すように、案内溝３２の溝係止部３２ｂ及び凹凸部３２ｃが脚部４８の脚係止部４８ｃを係止している。従って、脚部４８は案内溝３２から上側に抜け出ることがない。即ち、ガイドレール４０は、案内溝３２の溝方向にのみ動くことができるようになる。
【００２５】
このような状態で、ガイドレール４０を所定の位置まで移動させる。脚部４８にはバネ４８ａが装着され、このバネ４８ａの頂部４８ａａは、凹凸部３２ｃに当たっている。従って、ガイドレール４０を移動させると、バネ４８ａは弾性変形を起こし、バネ４８ａの頂部４８ａａが凹凸部３２ｃにおける凹部分に嵌ると、このバネ４８ａの弾性変形量は最小となる。弾性変形量が最小になる位置で、第１のステー３０ａ及び第２のステー３０ｂに対するガイドレール４０の位置が規定される。
【００２６】
一方、ガイドレール４０の位置を規定している力はバネ４８ａの弾性力であるので、外部からの衝撃等によりガイドレール４０の位置がずれることがある。そこで、タッピングねじ３６をガイドレール４０のねじ孔４６から挿入して、固定溝３４に螺合させる。タッピングねじ３６は螺合しながら螺合相手に溝を形成するので、ねじ溝が形成されていない固定溝３４に対して任意の位置で螺合することができる。従って、ガイドレール４０は、第１のステー３０ａ及び第２のステー３０ｂに対して任意の位置で固定できるようになる。
【００２７】
このように、ガイドレ−ル４０の脚部４８を第１のステー３０ａ及び第２のステー３０ｂの案内溝３２に挿入してガイドレール４０を移動させるため、カード１２の厚みに応じた位置にガイドレール４０を位置させることが可能になる。また、タッピングねじ２６でガイドレール４０を第１のステー３０ａ及び第２のステー３０ｂに対して固定するので、ガイドレール４０の位置ずれが防止できる。特に、タッピングねじ３６で固定するので、ガイドレール４０を任意の位置に固定することができる。
【００２８】
次に、本発明の第３の実施形態を図を参照して説明する。第２の実施形態においては、案内溝は第１のステー及び第２のステーに形成した。これに対して、本第３の実施形態では、案内溝を備える案内板を設けて、この案内板をステーに装着する。図８は、第３の実施形態にかかる案内溝を備える案内板をステーに装着して組み立てる際の斜視図である。なお、上述した第２の実施形態と同一構成に関しては同一符号を用いて説明を適宜省略する。
【００２９】
ステー５０はステー本体５０ａと、案内板５０ｂとを備える。ステー本体５０ａは、固定溝（固定部）５４と、案内板５０ｂが収納される案内板溝５５と、ステー本体５０ａの長手方向の両端近傍に形成された貫通孔５６と、案内板５０ｂをステー本体５０ａにねじ止めするための案内板固定ねじ５７とを備える。
【００３０】
案内板５０ｂは、案内溝５２と固定ねじ穴５３とを備える。案内溝５２は、溝部５２ａと、溝係止部５２ｂと、凹凸部５２ｃとを備える。この案内溝５２は、第２の実施形態における案内溝３２と同じ構成である。
【００３１】
このような案内板５０ｂをステー本体５０ａの案内板溝５５に装着する。その後、案内板固定ねじ５７をステー本体５０ａの下側から貫通孔５６に挿入し、案内板５０ｂの固定ねじ穴５３と螺合させる。これによりステー本体５０ａと案内板５０ｂとが一体化できる。
【００３２】
このようにして組み立てられたステー５０は、第２の実施形態において説明した第１のステー３０ａ及び第２のステー３０ｂ（図４参照）と同じ構成となる。従って、カードの厚みに応じた位置にガイドレールの位置を固定することが可能になる。
【００３３】
特に、第２の実施形態では、図４に示したように、前側から固定溝３４、凹凸部３２ｃ、溝係止部３２ｂが形成された第１のステー３０ａと、前側から凹凸部３２ｃ、溝係止部３２ｂ、固定溝３４、が形成された第２のステー３０ｂとの２種類のステーを用いた。これに対し、第３の実施形態では、図８に示したように、ステー本体５０ａの案内板溝５５に案内板５０ｂを挿入する際に、案内板５０ｂの方向を変えるだけで第１のステー３０ａ又は第２のステー３０ｂのいずれも形成できる利点がある。なお、図８におけるステー５０は、前側から凹凸部５２ｃ、溝係止部５２ｂ、固定溝５４が設けられることになるので、第２の実施の形態における第２のステー３０ｂに相当する。このように、２種類のステーを用意する必要がないので、製造コストや管理コストを削減できるようになる。
【００３４】
また、ステー５０はステー本体５０ａと案内板５０ｂとを組み立てて形成されるので、凹凸部５２ｃの凹凸の周期が異なる案内板５０ｂを複数用意して、カードの厚みに対応した案内板５０ｂを選択して用いることができる利点がある。
【符号の説明】
【００３５】
１，１０  カードシェルフ
２，１２  カード
３，３２  カード溝
４，４０  ガイドレール
５，３２，５２  案内溝
６  ステー部
７，３３  固定部
７ａ  係合体
３０ａ，３０ｂ，５０  ステー（ステー部）
３２ｃ，５２ｃ  凹凸部
７ｂ，３４，５４  固定溝（固定部）
３６  タッピングねじ（係合体）
４６  ねじ孔（固定部）
４８  バネ
５０ｂ  案内板
５０ａ  ステー本体
５５  案内板溝
【図１】
2010258010.tif 000003
【図２】
2010258010.tif 000004
【図３】
2010258010.tif 000005
【図４】
2010258010.tif 000006
【図５】
2010258010.tif 000007
【図６】
2010258010.tif 000008
【図７】
2010258010.tif 000009
【図８】
2010258010.tif 000010